(57)【要約】【課題】  靴を効率良く清潔に収納し、狭いスペースを有効利用できる靴収納ケースを提供する。【解決手段】  後部開口２ｂが後方板５で閉塞された筒形本体２と、筒形本体２の前部開口２ａに外周縁が嵌合され、内周面の上部側に内向きの支軸３ｇが１対突設され、保形性を有する高強度の合成樹脂材で形成された前方枠３と、前記前方枠３の開口部を覆う大きさで、上部側の両側縁に前記支軸３ｇが係合される長孔１４が設けられた蓋体４と、前記前方枠３の上部側の内周面に垂設され、前記長孔１４の一端側に前記支軸３ｇを位置させたときに、前記蓋体４の上端部が係止されて、この蓋体４をほぼ水平に保持するストッパ１２ａと、を備えた。【選択図】      図２
0003119921.tif 000002
【実用新案登録請求の範囲】
【請求項１】
後部開口が後方板で閉塞された筒形本体と、
この筒形本体の前部開口に外周縁が嵌合され、内周面の上部側に内向きの支軸が１対突設され、保形性を有する高強度の合成樹脂材で形成された前方枠と、
前記前方枠の開口部を覆う大きさで、上部側の両側縁に前記支軸が係合される長孔が設けられた蓋体と、
前記前方枠の上部側の内周面に垂設され、前記長孔の一端側に前記支軸を位置させたときに、前記蓋体の上端部が係止されて、この蓋体をほぼ水平に保持するストッパと、を備えた靴収納ケース。
【請求項２】
前記筒型本体が、上面および下面に対し左右両側面を立ち起こしたときに角筒状となるダンボール材で形成されるとともに、
前記後方板が、前記筒型本体とは別体で、保形性を有する高強度の合成樹脂材で形成されてなり、その外周縁が前記筒型本体の後部開口に嵌合されており、
前記前方枠および後方板の上部には、それぞれ係合凹部が形成されるとともに、前記前方枠および後方板の下部には、これら係合凹部に対向してそれぞれ係合凸部が形成されていることを特徴とする請求項１に記載の靴収納ケース。
【請求項３】
前記前方枠の内周面には係止爪が形成されるとともに、前記筒型本体のうち、前記係止爪と対応する部分には、それぞれ前記係止爪に係止される爪係止穴が形成されていることを特徴とする請求項２に記載の靴収納ケース。
【請求項４】
前記筒形本体が、内面に撥水加工を施してなることを特徴とする請求項３に記載の靴収納ケース。
【考案の詳細な説明】
【技術分野】
【０００１】
本考案は、一般家庭等に備え付けられて靴を効率よく収納し得る靴収納ケースに関するものである。
【背景技術】
【０００２】
靴の収納には、下駄箱が広く使用されている。この下駄箱は、普及品の場合、木材で箱形に形成されており、内部を複数段に仕切って靴を上下に並べるようにしている。
【考案の開示】
【考案が解決しようとする課題】
【０００３】
ところで、この下駄箱は、多数の靴を収納可能としているが、並べる靴が少ないと内部に無駄なスペースが生じ、狭い玄関に置かれる収納用具としては非効率なものであった。
一方、靴が多いと重ねて収納されるため、下部側の靴が変形するという不具合があった。
また、下駄箱には通気口が形成されていないため、内部の換気が悪く、靴が蒸れて臭いがこもるという難点もあった。
さらに、下駄箱の内部は、撥水加工を施していないことから、濡れた靴を入れたままにしておくと、下駄箱の木材が湿気を吸収して変形し、長期の使用に耐えなくなるという欠点もあった。
【０００４】
本考案は、上記のような課題を解決するためになされたもので、靴を効率良く収納し、狭いスペースを有効利用できる靴収納ケースを提供することを目的としている。
【課題を解決するための手段】
【０００５】
上記目的を達成するため、請求項１に係る靴収納ケースは、後部開口が後方板で閉塞された筒形本体と、この筒形本体の前部開口に外周縁が嵌合され、内周面の上部側に内向きの支軸が１対突設され、保形性を有する高強度の合成樹脂材で形成された前方枠と、前記前方枠の開口部を覆う大きさで、上部側の両側縁に前記支軸が係合される長孔が設けられた蓋体と、前記前方枠の上部側の内周面に垂設され、前記長孔の一端側に前記支軸を位置させたときに、前記蓋体の上端部が係止されて、この蓋体をほぼ水平に保持するストッパと、を備えたことを特徴としている。
また、請求項２に係る靴収納ケースは、前記筒型本体が、上面および下面に対し左右両側面を立ち起こしたときに角筒状となるダンボール材で形成されるとともに、前記後方板が、前記筒型本体とは別体で、保形性を有する高強度の合成樹脂材で形成されてなり、その外周縁が前記筒型本体の後部開口に嵌合されており、前記前方枠および後方板の上部には、それぞれ係合凹部が形成されるとともに、前記前方枠および後方板の下部には、これら係合凹部に対向してそれぞれ係合凸部が形成されていることを特徴としている。
また、請求項３に係る靴収納ケースは、前記前方枠の内周面には係止爪が形成されるとともに、前記筒型本体のうち、前記係止爪と対応する部分には、それぞれ前記係止爪に係止される爪係止穴が形成されていることを特徴としている。
また、請求項４に係る靴収納ケースは、前記筒形本体が、内面に撥水加工を施してなることを特徴としている。
【考案の効果】
【０００６】
請求項１に係る考案によれば、角筒状とした筒形本体の前部開口に前方枠の外周縁を嵌合し、前記長孔の一端側に前記支軸を位置させて前記蓋体の上端部をストッパに係止すると、蓋体がほぼ水平に保持されるので、この前方枠の開口部より靴を筒形本体内に収納することができる。そして、前記ストッパに係止された蓋体の上端部を外すと、この蓋体が垂下可能となり、長孔の他端側に支軸が位置して、筒形本体の前部開口を覆うことができる。すなわち、本考案によれば、上記の操作を片手で行うことができ、操作性に非常に優れたものとなる。
また、請求項２に係る考案によれば、前方枠および後方板の上部に設けた係合凹部に、他の前方枠および後方板の下部に設けた係合凸部を係合させると、上下に重ねられる。この際、前方枠および後方板は、高強度の合成樹脂材で形成されているため、段ボール製の筒形本体が変形することなく角筒状に保たれ、複数個を積み重ねることができる。
また、請求項３に係る考案によれば、前方枠に形成された係止爪に筒型本体に形成された爪係止穴が係止されることで前方枠が筒型本体に固定されるので、前記蓋体にデザイン性を優先させることができる。
【０００７】
また、請求項４に係る考案によれば、前記筒形本体の内面に撥水加工を施しているので、濡れたり湿気を帯びた靴が収納されても、段ボール材の筒形本体が水分を吸収することなく、その型くずれを防止することができる利点がある。
【考案を実施するための最良の形態】
【０００８】
以下、本考案に係る靴収納ケースの実施形態について、図面を参照しながら詳述する。
図１は本考案の一実施形態である靴収納ケースを示す展開斜視線図、図２は靴収納ケースを示す縦断面図である。
この靴収納ケース１は、筒形本体２、前方枠３、蓋体４、後方板５および脱臭シート収納部６等を備えており、複数段に重ねて多数の靴２４を収納可能な構成となっている。
筒形本体２は、上面７、下面８および左右の側面９，１０からなり、段ボール材で形成されている。
【０００９】
この筒形本体２は、下面８の左側縁を折り返し、図１に示す如く細幅の接着部２ｃを形成している。また、左側面９には細幅の糊代を設けており、この糊代に接着剤を塗布し、前記接着部２ｃを接着して、下面８と左側面９とを一体化している。
そして、上面７の四隅および左右の側面９，１０の下隅各２箇所を方形状に打ち抜き、爪係止穴２ｄを形成してある。
【００１０】
さらに、上面７、下面８および左右両側面９，１０の内面２eに撥水加工を施しており、濡れた靴２４が収納されても、段ボール材製の筒形本体２が湿気を帯びるのが防止される。
この筒形本体２は、製作後、上面７と下面８とが重なるよう押圧して偏平にしておき、図３に示すように、前方枠３および後方板５を載せて一組とし、運搬や取り扱いを容易にしている。
この筒形本体２は、上面７および下面８に対し左右両側面９，１０を立ち起こすと、図１および図２に示す如く全体が角筒状となり、前部と後部とに矩形状の開口２ａ，２ｂが生じる。
【００１１】
前方枠３は、図１および図３に示すように、筒形本体２の前部開口２ａに略等しい矩形状で、保形性を有する高強度の硬質プラスチック材により形成されている。
この前方枠３は、外周部を外側板１１と内側板１２とで構成し、嵌合部１３、係合凹部３ｈ、係合凸部３ｉおよび係止爪３ｊ等を形成している。
そして、上部３ｃ側には丸みを設け、下部３ｄ側の底面は偏平にしてある。また、前端３ａ側の上部３ｃを切り込んで段差を形成し、この段差から下部３ｄ側に向けては傾斜面としている。
【００１２】
嵌合部１３は、図４に示すように、後端３ｂ側における外側板１１と内側板１２とに生じさせた間隙であり、筒形本体２の前端縁２fを挿入可能となっている。
この嵌合部１３は、蓋体４を保持するための蓋保持部１３ａを設けている。この蓋保持部１３ａは、嵌合部１３の略中央から前端３ａ側に向けて間隙の内径を漸次大きくしたもので、蓋体４の下端縁４ｆが容易に挿入可能となっている。
なお、この蓋保持部１３ａにおいて、外側板１１の端縁を略半円形に膨出させることにより、抜け止め部１１ａを設けている。
【００１３】
係合凹部３ｈは、略円柱状で中央を窪ませており、図２、図４および図６に示すように、外側板１１の上面側における左右両端に突設されている。
係合凸部３ｉは、略円柱状で中央を隆起させており、前記係合凹部３ｈに係合可能なように、外側板１１の下面側における左右両端に突設されている。
係止爪３ｊは、図５に示す如くフック状で、可撓性を有しており、前記上面７および左右側面９，１０の各爪係止穴２ｄに対向する左右位置にそれぞれ設けられている。
【００１４】
さらに、この前方枠３は、図２、図４および図６に示すように、内側板１２の上部側における左右内周面に、互いに向き合う１対の支軸３ｇを突設している。
また、上部３ｃ側における内側板１２の下面には、ストッパ１２ａを垂設している。このストッパ１２ａは、頂部を傾斜面にしており、蓋体４の上端部４ａを係止可能となっている。
【００１５】
このように構成された前方枠３は、図１に示すように、筒形本体２の前部開口２ａに後端３ｂ側を臨ませ、嵌合部１３に筒形本体２の前端縁２fを挿入する。
そして、筒形本体２を強く押し込むと、上面７および左右側面９，１０の各爪係止穴２ｄに各係止爪３ｊが入り込んで係止される。
これにより、図２に示す如く筒形本体２と前方枠３とが強固に嵌合保持される。
【００１６】
蓋体４は、前方枠３の開口部を覆う大きさで、前方枠３と同質材により形成されている。この蓋体４は、図１に示すように、前方枠３の形状に合わせて上部の左右を切り欠き形成してある。
また、下端部４ｂの端縁４ｆは、図４に示すように、略半円形に窪ませて係合凹所４ｇを設け、前記抜け止め部１１ａを係合可能としている。
そして、下端部４ｂ側の中央には、図１に示す如く円形の貫通穴４ｅを形成し、手指を挿入して蓋体４を開閉操作できるようになっている。
さらに、両側板４ｃ，４ｄの上部側には、図４に示すように、蓋体４の長さ方向に延びる長孔１４が形成されており、これらの長孔１４に前記支軸３ｇが係合される。
【００１７】
このように形成された蓋体４は、前方枠３を若干拡げておいて、左右の支軸３ｇに各長孔１４を係合する。そして、前方枠３を元に戻すと、図２、図４に示す如く前方枠３に蓋体４が回動自在に取り付けられる。
この際、長孔１４の上端１４ａ側に支軸３ｇが位置すると、蓋体４が掛止されて垂下状態になる。そして、蓋体４の下端部４ｂ側を前方枠３側に押圧すると、蓋保持部１３ａに蓋体４の端縁４ｆが挿入される。
【００１８】
ここで、蓋体４をさらに強く押すと、係合凹所４ｇに抜け止め部１１ａが係合されて蓋体４の抜け止めがなされる。
一方、蓋体４を回動させて下端部４ｂを上方に持ち上げ、長孔１４の下端１４ｂ側に支軸３ｇを位置させた状態で蓋体４の上端部４ａをストッパ１２ａに係止すると、図２、図４の仮想線に示すように、蓋体４がほぼ水平に保持される。
【００１９】
後方板５は、図７〜図９に示しており、筒形本体２の後部開口２ｂに略等しい大きさの矩形状で、前方枠３と同質材により形成されている。
この後方板５は、後端５ｂ側から前端５ａ側に向けて窪む凹所５ｃを設けており、縦断面が略凹状となっている。
そして、この凹所５ｃ部分に縦長の開口１５を６箇所開設することにより、通気口１６および脱臭シート収納部６を設けている。
【００２０】
また、この後方板５も、図２に示すように、外周部を外側板１７と内側板１８とで構成し、嵌合部１９、係合凹部５ｆ、係合凸部５ｇおよび係止爪５ｈ等を設けている。
嵌合部１９は、図８、図９に示す如く前端５ａ側における外側板１７と内側板１８とに生じさせた間隙であり、筒形本体２の後端縁２ｇを挿入可能となっている。
【００２１】
係合凹部５ｆおよび係合凸部５ｇは、図２、図６に示すように、前方枠３側と同形状で、後方板５の上面と下面の左右両端に突設されている。
係止爪５ｈは、前方枠３側の係止爪３ｊと同形状で、前記筒形本体２の上面７と左右側面９，１０の各爪係止穴２ｄに対向する位置にそれぞれ設けられている。
【００２２】
脱臭シート収納部６は、図７〜図９に示しており、各開口１５の周囲に後部保持板２０、前部保持板２１および補強リブ２２を設けて構成されている。
後部保持板２０は細幅で、後方板５の背面５ｄ側において、各下端２０ａが各開口１５の下端部１５ａに連接し、各開口１５の上端部１５ｂに向けて延出している。
これにより、図２、図９に示すように、各後部保持板２０の上端２０ｂと背面５ｂとの間に小間隙Ｇが生じる。
【００２３】
前部保持板２１も細幅で、後方板５の前面５ｅ側において、各下端２１ａが各開口１５の下端部１５ａに連接し、各開口１５の上端部１５ｂ側に向けて延出している。
これにより、各後部保持板２０と各前部保持板２１との間には、脱臭シート２３の厚さに等しい間隙が生じる。
【００２４】
補強リブ２２は、前部保持板２１よりも長く形成されており、下端２１ａが前面５ｅ側に接合され、全体が前部保持板２１に沿って接着されている。
このため、前部保持板２１が補強され、脱臭シート２３の挿脱時において後部および前部保持板２０，２１の破損が防止される。
そして、後部保持板２０の上端２０ｂ側から脱臭シート２３を挿入すると、両者２０，２１の間隙に保持することができる。なお、この脱臭シート２３は、通気口１６を覆う大きさに形成されている。また、本考案において使用する脱臭シート２３は特に限定されず、例えば、活性炭や光触媒などをシート材に担持させたものを用いることができる。
【００２５】
ところで、この後方板５は、図１に示すように、筒形本体２の後部開口２ｂに前端側を臨ませ、嵌合部１３に筒形本体２の後端縁２gを挿入する。そして、筒形本体２を強く押し込むと、上面７の爪係止穴２ｄに上方の係止爪５ｈが入り込んで係止される。
これにより、図２に示す如く後方板５と筒形本体２とが強固に嵌合保持される。
【００２６】
以上のように構成された靴収納ケース１は、前方枠３および後方板５の上部に設けた係合凹部３ｈ，５ｆに、他の靴収納ケース１の下部に設けた係合凸部３ｉ，５ｇを係合させると（図６参照）、上下に重ねられる。
この際、前方枠３および後方板５は、高強度のプラスチック材で形成されているため、段ボール材の筒形本体２が変形することなく角筒状に保たれる。
よって、この靴収納ケース１を複数段に積み重ねた状態で玄関等に置くことができる。
【００２７】
そして、蓋体４の貫通穴４ｅに手指を挿入して下端部４ｂを上方に持ち上げ、蓋体４を回動させることにより、長孔１４の下端１４ｂ側に支軸３ｇを位置させた状態で、蓋体４の上端部４ａをストッパ１２ａに係止する。
すると、蓋体４は、図２、図４の仮想線４に示す如くほぼ水平に保持されるので、前方枠３の開口部から靴２４を筒形本体２内に収納することができる。
【００２８】
この後、貫通穴４ｅに手指を挿入して蓋体４を手前に引き、ストッパ１２ａに係止された蓋体４の上端部４ａを外すと、この蓋体４が回動可能となり、図４の実線４に示すように、長孔１４の上端１４ａ側に支軸３ｇが位置し、筒形本体２の前部開口２ａを覆うことができる。
そして、蓋体４の下端部４ｂ側を前方枠３側に押圧し、係合凹所４ｇに抜け止め部１１ａを係合させると、蓋体４の抜け止めが図られる。
【００２９】
このように、靴収納ケース１内に靴２４が収納された状態では、後部の通気口１６により空気の流通がなされ、靴２４に湿気が帯びるのが防止される。
また、筒形本体２の内面２eに撥水加工を施しているので、靴２４が濡れていたり、湿気を帯びていても、段ボール製の筒形本体２が水分を吸収することなく、その型くずれが防止される。
さらに、後方板５の通気口１６に脱臭シート２３を装着しているので、靴収納ケース１内の臭いを効率よく脱臭することができる。
【図面の簡単な説明】
【００３０】
【図１】本考案の一実施形態である靴収納ケースを示す展開斜視図である。
【図２】同靴収納ケースを示す縦断面図である。
【図３】同靴収納ケースの１組を示す斜視図である。
【図４】前方枠に蓋体を装着した状態を示す断面図である。
【図５】筒形本体に前方枠を嵌合した状態を示す断面図である。
【図６】係合凹部に係合凸部を係合した状態を示す断面図である。
【図７】後方板および脱臭シート収納部を示す背面側の正面図である。
【図８】図７のVII―VII線に添った断面図である。
【図９】図７のVIII―VIII線に添った断面図である。
【符号の説明】
【００３１】
１      靴収納ケース
２      筒形本体
２ａ    前部開口
２ｂ    前部開口
３      前方枠
３ｃ    上部
３ｇ    支軸
３ｈ    係合凹部
３ｉ    係合凸部
４      蓋体
５      後方板
６      脱臭シート収納部
７      上面
８      下面
９      左側面
１０    右側面
１２ａ  ストッパ
１４    長孔
１５    通気口
【図１】
0003119921.tif 000003
【図２】
0003119921.tif 000004
【図３】
0003119921.tif 000005
【図４】
0003119921.tif 000006
【図５】
0003119921.tif 000007
【図６】
0003119921.tif 000008
【図７】
0003119921.tif 000009
【図８】
0003119921.tif 000010
【図９】
0003119921.tif 000011